(57)【要約】【課題】魚等の動物の飼育や観賞、植物の育成や観賞等に用いられる水槽のための水濾過装置であって、水濾過機能及び照明機能を併せもち、それら機能部分を一括して水槽にコンパクトに装着できる照明部付の水濾過装置を提供する。【解決手段】一体的に構成された水濾過部１及び照明部２並びにそれらを水槽に装着する装着部３を含んでいる照明部付水濾過装置１０。水濾過部１は水濾過室１１、取水部１２及び濾過後水の放出部１３を含んでおり、取水部１２はポンプ配置部１２１を有している。装着部３は、水濾過部１が平面からみて水槽内側に配置されるように、一体的に構成された水濾過部１及び照明部２を水槽に装着でき、照明部２は水槽内を水濾過部１の前方で上方から照明可能に水濾過部１から突出している。【選択図】図９
2013252076.tif 000002
【特許請求の範囲】
【請求項１】
一体的に構成された水濾過部及び照明部を含んでいるとともに前記一体的に構成された水濾過部及び照明部を水槽に取り外し可能に装着する装着部を含んでおり、
前記水濾過部は、水濾過フィルタを着脱できる水濾過室、前記水濾過室に連通する取水部及び前記水濾過室に連通する濾過後水の放出部を含んでおり、前記取水部は水槽水を取り込み、前記水濾過室を経て前記放出部へ送るためのポンプを配置できるポンプ配置部を有しており、
前記装着部は、前記水濾過部が平面からみて水槽内側に配置されるとともに、前記取水部で水槽内から取水し、前記放出部から濾過後水を前記水槽内へ放出可能に前記水槽に配置されるように、前記一体的に構成された水濾過部及び照明部を水槽に取り外し可能に装着するものであり、
前記照明部は、前記一体的に構成された水濾過部及び照明部が前記装着部により前記水槽に装着された状態で前記水槽内を前記水濾過部の前方で上方から照明可能に前記水濾過部から突出していることを特徴とする照明部付水濾過装置。
【請求項２】
前記水濾過部は上端部の前面側に前記濾過後水の放出部を有しており、下端部に前記取水部を有しており、前記照明部は該水濾過部の上端部前面側の前方で水槽内を上方から照らせるように該水濾過部の上端部から突出しており、前記装着部は、前記水濾過部の取水部が前記水槽内の水に浸けられるとともに前記放出部が該水槽内の水位より上方で前記水槽内へ濾過後水を放出でき、前記照明部が該水槽内の前記水位より上方から水槽内を照らせるように、前記一体的に構成された水濾過部及び照明部を前記水槽に取り外し可能に装着するものである請求項１記載の照明部付水濾過装置。
【請求項３】
前記照明部は、前記一体的に構成された水濾過部及び照明部が前記装着部により前記水槽に装着された状態で前記濾過後水の放出部より高位置に置かれるように前記水濾過部から突出している請求項１又は２記載の照明部付水濾過装置。
【請求項４】
前記照明部は前記水濾過部前方への照明部突出方向を横切る水濾過部幅より広幅の庇状に突出しているとともに該庇状部分の下面に分散形成された投光窓から下方へ向け投光可能に形成されている請求項２又は３記載の照明部付水濾過装置。
【請求項５】
前記装着部は、前記一体的に構成された水濾過部及び照明部を水槽上縁部に取り外し可能に引っ掛け装着するための、前記水濾過部の背面に一体的に形成された引っ掛け部材である請求項１、２、３又は４記載の照明部付水濾過装置。
【発明の詳細な説明】
【技術分野】
【０００１】
本発明は、魚等の動物の飼育や観賞、植物の育成や観賞等に用いられる水槽の水の濾過と水槽内の照明に関係している。
【背景技術】
【０００２】
魚等の動物の飼育や観賞、植物の育成や観賞等に用いられる水槽の水を濾過する水濾過装置はこれまで種々開発され、実用に供されてきた。また、水槽内を照明する水槽用の照明装置も種々開発され、実用に供されてきた。
【０００３】
水濾過装置については、水槽の上枠に搭載するタイプのものが一般的である。照明装置についても、水槽の上枠に搭載するタイプのものが一般的である。
【０００４】
しかし、このように水槽上枠に搭載されるタイプの水濾過装置や照明装置は、水槽内の保守、点検、水槽内物の入れ替え等の作業にあたって位置をずらせたり、取り外したりしなければならないことがあり、保守等作業がそれだけ手間を要するものになったり、煩わしいものになったりする。水濾過装置自体も保守、点検に手間を要するものが多い。
【０００５】
そのため、水濾過装置については、吸水管と濾過水放出部については水槽内に挿入されるが、水濾過室等を含む大部分が水槽壁の外側方に配置されるように水槽上枠に引っ掛けて使用できる外掛け式水濾過装置が提案されている。このタイプの水濾過装置は例えば特開２００６−３３３７７９号公報に記載されている。
【０００６】
照明装置については、例えば意匠登録第１２８３８５８号公報に水槽上枠に着脱可能に立ち上げた支持アームに照明器具を支持させたものが記載されている。
【先行技術文献】
【特許文献】
【０００７】
【特許文献１】特開２００６−３３３７７９号公報
【特許文献２】意匠登録第１２８３８５８号公報
【発明の概要】
【発明が解決しようとする課題】
【０００８】
しかしながら、このような引っ掛けタイプの水濾過装置は、水槽上枠に引っ掛けて使用するとき、水濾過室等を含む大部分が水槽壁の外側方へ突出する。そのため、例えば室内等において壁際に水槽を設置するとともに水濾過装置も該壁側に配置しようとする場合、水槽自体を該壁に所望程度近づけようとすると、前記水濾過装置の水槽外突出部分が邪魔になることがある。
【０００９】
また、水槽上枠に着脱可能に立ち上げた支持アームに照明器具を支持させた照明装置は、
水濾過装置とは別体のものであり、この照明装置を採用するときには水濾過装置に加えてさらに照明装置の取り付けが必要になる点では水槽上枠搭載型の照明装置と変わりがないうえ、水槽上枠に着脱自在に立ち上げた支持アームに照明器具を取り付けた照明装置であるため、人体等の接触等により位置ずれし易いと言った点が指摘される。
【００１０】
そこで前記引っ掛けタイプの水濾過装置に照明装置を組み合わせることが考えられる。
ところが、水槽内を照明する場合、平面から見てできるだけ水槽の中央部を照らすように照明装置を配置するのが一般的である。
【００１１】
前記引っ掛けタイプの水濾過装置に照明装置を組み合わせる場合においても、水槽の中央部を照らすように照明装置を水濾過装置に組み合わせようとすると、水濾過装置の水槽外突出部分に照明装置を組み合わせ、且つ、平面から見て水槽中央部へ照明装置を長く延ばさなければならず、そうすると、照明装置を含めた水濾過装置全体が大型化し、コスト高になる。また、そのような照明装置を含めた水濾過装置を設けた水槽全体も嵩高くなり、例えば室内等における水槽設置に適する場所に水槽をコンパクトに設置しようとする場合、それを困難にする。
【００１２】
本発明は魚等の動物の飼育や観賞、植物の育成や観賞等に用いられる水槽のための水濾過装置であって、次の利点を併せ有する照明部付きの水濾過装置を提供することを課題とする。
（１）水槽内の水をろ過する機能及び水槽内を照明する機能を併せもっており、それら両機能部分を一括して容易に水槽に取り外し可能に装着できる。
（２）水槽壁の外側方へ突出する部分が小さく、水槽にコンパクトに装着でき、延いては水槽、水濾過部分、照明部分を含む全体をコンパクト化でき、また、それゆえ水槽設置場所の選択範囲が広くなる。
（３）上記（１）、（２）の利点を有する割には安価に提供できる。
【００１３】
前記課題を解決するため本発明は、
一体的に構成された水濾過部及び照明部を含んでいるとともに前記一体的に構成された水濾過部及び照明部を水槽に取り外し可能に装着する装着部を含んでおり、
前記水濾過部は、水濾過フィルタを着脱できる水濾過室、前記水濾過室に連通する取水部及び前記水濾過室に連通する濾過後水の放出部を含んでおり、前記取水部は水槽水を取り込み、前記水濾過室を経て前記放出部へ送るためのポンプを配置できるポンプ配置部を有しており、
前記装着部は、前記水濾過部が平面からみて水槽内側に配置されるとともに、前記取水部で水槽内から取水し、前記放出部から濾過後水を前記水槽内へ放出可能に前記水槽に配置されるように、前記一体的に構成された水濾過部及び照明部を水槽に取り外し可能に装着するものであり、
前記照明部は、前記一体的に構成された水濾過部及び照明部が前記装着部により前記水槽に装着された状態で前記水槽内を前記水濾過部の前方で上方から照明可能に前記水濾過部から突出している照明部付水濾過装置を提供する。
【００１４】
本発明に係る照明部付水濾過装置によると、水濾過部及び照明部が一体的に構成されており、一体的に構成された水濾過部及び照明部を装着部で一括して水槽に取り外し可能に装着でき、水槽への装着、水槽からの取り外しが容易である。
【００１５】
本発明に係る照明部付水濾過装置によると、前記装着部で水槽に装着された状態では、前記水濾過部が平面からみて水槽内側に配置され、前記照明部は前記水濾過部の前方で上方から水槽内を照明可能に水濾過部から突出している。
【００１６】
したがって、水槽壁の外側方へ突出する部分が装着部又はその一部程度であって小さく、水槽にコンパクトに装着でき、延いては水槽及びそれに装着される照明部付水濾過装置を含む全体をコンパクト化でき、また、それゆえ水槽設置場所の選択範囲が広くなり、例えば室内等において所望の場所へ設置し易い。
【００１７】
本発明に係る照明部付水濾過装置は、例えば特開２００６−３３３７７９号公報に記載されているような外掛け式水濾過装置に照明部を突設するような場合と比較すると、コンパクトに安価に提供できる。
【００１８】
前記水濾過部としては、例えば、上端部の前面側に前記濾過後水の放出部を有しており、下端部に前記取水部を有しているものを挙げることができる。また、前記照明部として、例えば、該水濾過部の上端部前面側の前方で水槽内を上方から照らせるように該水濾過部の上端部から突出しているものを挙げることができる。
【００１９】
水濾過部及び照明部がこのようなものである場合の前記装着部として、例えば、前記水濾過部の取水部が前記水槽内の水に浸けられるとともに前記放出部が該水槽内の水位より上方で前記水槽内へ濾過後水を放出でき、前記照明部が該水槽内の前記水位より上方から水槽内を照らせるように、前記一体的に構成された水濾過部及び照明部を前記水槽に取り外し可能に装着するものを挙げることができる。
【００２０】
また、前記照明部は、飛びはね水等の水の影響を受け難くしたり、前記水濾過部の放出部からの濾過水の放出状態を観察し易くする等のために、前記一体的に構成された水濾過部及び照明部が前記装着部により前記水槽に装着された状態で前記濾過後水の放出部より高位置に置かれるように前記水濾過部から突出しているものを例示できる。
【００２１】
水槽内のより広い範囲を明るく照明できるようにするため、前記照明部は前記水濾過部前方への照明部突出方向を横切る水濾過部幅より広幅の庇状に突出しているものとすることができる。そのような庇状照明部は、例えば、該庇状部分の下面に分散形成された投光窓から下方へ向け投光可能なものを例示できる。光源は、例えば、照明部内に１又は２以上配置することができ、また、各投光窓に対して光源（例えば、豆球、発光ダイオード等）を配置してもよい。
【００２２】
前記装着部としては、簡単で嵩ばらないものとして、前記一体的に構成された水濾過部及び照明部を水槽上縁部に取り外し可能に引っ掛け装着するための、前記水濾過部の背面に一体的に形成された引っ掛け部材を例示できる。
【発明の効果】
【００２３】
以上説明したように本発明によると、魚等の動物の飼育や観賞、植物の育成や観賞等に用いられる水槽のための水濾過装置であって、次の利点を併せ有する照明部付きの水濾過装置を提供することができる。
（１）水槽内の水をろ過する機能及び水槽内を照明する機能を併せもっており、それら両機能部分を一括して容易に水槽に取り外し可能に装着できる。
（２）水槽壁の外側方へ突出する部分が小さく、水槽にコンパクトに装着でき、延いては水槽、水濾過部分、照明部分を含む全体をコンパクト化でき、また、それゆえ水槽設置場所の選択範囲が広くなる。
（３）上記（１）、（２）の利点を有する割には安価に提供できる。
【図面の簡単な説明】
【００２４】
【図１】本発明に係る照明部付水濾過装置の１例の正面図である。
【図２】図１の照明部付水濾過装置の背面図である。
【図３】図１の照明部付水濾過装置の平面図である。
【図４】図１の照明部付水濾過装置の底面図である。
【図５】図１の照明部付水濾過装置の右側面図である。
【図６】図１のＡ−Ａ線に沿う断面図であり、照明部の内部機構を概略的に示している断面図である。
【図７】図１の照明部付水濾過装置の、蓋体を外して示す平面図である。
【図８】蓋体を開けた状態の図１の照明部付水濾過装置の、装着前の濾過材と共に示す斜視図である。
【図９】図１の照明部付水濾過装置の使用状態例を示す断面図である。
【発明を実施するための形態】
【００２５】
以下、本発明に係る照明部付水濾過装置について図面を参照して説明する。
図示の本発明に係る照明部付水濾過装置の１例１０は、水濾過部１及び照明部２を含んでいる。水濾過部１及び照明部２は一体的に構成されている。
【００２６】
照明部付水濾過装置１０はさらに装着部３も有している。装着部３は水濾過部１の背面壁１Ｂに一体的に形成されている。装着部３は一体的に構成された水濾過部１及び照明部２を水槽に取り外し可能に装着するためのものである。
【００２７】
装着部３は一体的に構成された水濾過部１及び照明部２を水槽に取り外し可能に装着できるものであればよく、例えば、水槽の上縁部に着脱可能のクリップ式のもの等でもよいが、ここでは構造簡単で取り扱い容易なものとして、図９に例示するように、水槽１００の上縁１０１に取り外し可能に引っ掛けることができる引っ掛け部材からなっている。
【００２８】
水濾過部１は水濾過室１１、水濾過室１１に連通する取水部１２及び水濾過室１１に連通する濾過後水の放出部１３を含んでいる。水濾過室１１内には上下方向に延びる左右１対の濾過材装着溝部１１１が前後に２対形成されている。各溝部１１１は上下方向に延びる一対の縦桟１１１ａからなっている。
【００２９】
水濾過部１は上端部において前面１Ｆ側に濾過後水の放出部１３を有しており、下端部に取水部１２を有している。取水部１２は、図９に例示するように、水槽水Ｗを取り込み、水濾過室１１を経て放出部１３へ送るためのポンプＰを配置できるポンプ配置部１２１を有している。
【００３０】
放出部１３は濾過後水を水槽内へ放出できるものであればよいが、本例では、複数の放出口１３１（図１参照）から濾過後水を水槽内へ放出できるものである。
【００３１】
照明部２は水濾過部１の上端部における前面１Ｆ側の前方で水槽内を上方から照らせるように水濾過部１の上端部から突出している。本例では、照明部２は、一体的に構成された水濾過部１及び照明部２が装着部３により水槽に引っ掛け装着された状態で濾過後水放出部１３より高位置に置かれるように水濾過部１から突出している。
【００３２】
照明部２は、水濾過部１前方への照明部突出方向を横切る水濾過部幅より広幅の庇状に突出しているとともに庇状部分の下面２１に分散形成された投光窓２２（図４参照）から下方へ向け投光可能に形成されている。
【００３３】
本例では発光ダイオードＬＥＤからなる光源２３が各投光窓２２に内側から臨んでおり、光源２３は照明部内の発光ダイオード基盤２４に配置されており、基盤２４が図示省略の電源部から電力供給されることで点灯する。
【００３４】
以上説明した照明部付水濾過装置１０は次のようにして用いることができる。
水濾過部１の取水部１２のポンプ配置部１２１にポンプＰを配置し、該ポンプを水濾過室１１に連通させた状態で、装着部３により水槽１００の上縁部１０１に引っ掛け装着する。
【００３５】
このとき、水濾過部１は平面からみて図９に例示するように水槽１００内側に配置されるとともに、取水部１２で水槽１００内から取水し、放出部１３から濾過後水を水槽１００内へ放出可能に水槽１００に配置される。
【００３６】
装着部３で引っ掛け装着した状態では、水濾過部１の取水部１２が水槽１００内の水Ｗに浸けられるとともに放出部１３が水槽１００内の水位より上方で水槽１００内へ濾過後水を放出でき、照明部２が水槽１００内の水位より上方から水槽１００内を照らすことができる。
【００３７】
さらに、水濾過部１の蓋体１４を外して、図８に例示するような板状タイプの濾過材１５、１６を水濾過室１１内の上下方向に延びる左右１対の濾過材装着溝部１１１に交換可能に挿入する。その後、蓋体１４を閉じる。
【００３８】
なお、蓋体１４は水の飛び跳ねの防止や、外観体裁をよくするために設けてあるが、必ず要するものではない。また、蓋体１４はヒンジで開閉できるものでもよい。蓋体１４は、ここでは、水流確認の容易化等のために室１１内が透けて見える程度の透明性を有しているが、透明でなければならないものではない。
【００３９】
上記のように水槽１００に装着した状態でポンプＰを図示省略の電源から電力供給して運転し、それにより、取水部１２で水槽水Ｗを取り込み、水濾過室１１内の濾過材装着溝部１１１に挿入配置した濾過材１５、１６に通過させ、それにより濾過して放出部１３から水槽１００内へ放出させる。
【００４０】
一方、照明部２により水槽１００内を照明する。
【００４１】
以上説明した照明部付水濾過装置１０は、水槽１００内の水をろ過する機能及び水槽１００内を照明する機能を併せもっており、それら両機能部分を一括して容易に水槽１００に取り外し可能に装着できるものである。
【００４２】
また、水槽壁の外側方へ突出する部分が小さく、水槽１００にコンパクトに装着でき、延いては水槽１００、水濾過部分１、照明部分２を含む全体をコンパクト化でき、また、それゆえ水槽設置場所の選択範囲が広くなる。
【００４３】
上記利点を有する割には安価に提供できる。
【産業上の利用可能性】
【００４４】
本発明は魚等の動物の飼育や観賞、植物の育成や観賞等に用いられる水槽のための照明部付水濾過装置を提供することに利用できる。
【符号の説明】
【００４５】
１０  照明部付水濾過装置
１    水濾過部
１Ｆ  水濾過部前面
１Ｂ  水濾過部背面
１１  水濾過室
１１１  濾過材装着溝部
１１１ａ  縦桟
１２  取水部
１２１  ポンプ配置部
Ｐ  ポンプ
１３  濾過後水放出部
１３１  放出口
１４  蓋体
１５、１６  濾過材
２    照明部
２１  照明部の庇状部分の下面
２２  投光窓
２３  光源
２４  発光ダイオード基盤
３    装着部
１００  水槽
１０１  水槽上縁部
Ｗ  水槽内水
【図１】
2013252076.tif 000003
【図２】
2013252076.tif 000004
【図３】
2013252076.tif 000005
【図４】
2013252076.tif 000006
【図５】
2013252076.tif 000007
【図６】
2013252076.tif 000008
【図７】
2013252076.tif 000009
【図８】
2013252076.tif 000010
【図９】
2013252076.tif 000011